(57)【要約】【課題】フレキシブルプリント配線板に関する干渉問題を回避すると共に、曲げ頂点部の曲率半径を所定の大きさに確保できるレンズ鏡筒およびこれを用いた光学装置を提供する。【解決手段】レンズ鏡筒で、固定筒と、該固定筒に対し光軸方向に移動する移動筒と、該移動筒に取付けられた電装部と、該電装部に一端が電気接続され、制御部に他端が電気接続され、前記光軸方向に移動するＵターン部を備えるフレキシブルプリント配線板と、前記フレキシブルプリント配線板の前記Ｕターン部と異なる前記光軸方向に伸びた第１領域を保持する第１の保持部材と、を有し、前記移動筒は、前記Ｕターン部が光軸方向に移動する範囲で、前記Ｕターン部を光軸方向から見たとき、前記フレキシブルプリント配線板を挟んで両側に前記第１の保持部材に対向して前記第１の保持部材の変位を規制する規制部を有する。【選択図】図７
2016130761.tif 000002
【特許請求の範囲】
【請求項１】
固定筒と、
該固定筒に対し光軸方向に移動する移動筒と、
該移動筒に取付けられた電装部と、
該電装部に一端が電気接続され、制御部に他端が電気接続され、前記光軸方向に移動するＵターン部を備えるフレキシブルプリント配線板と、
前記フレキシブルプリント配線板の前記Ｕターン部と異なる前記光軸方向に伸びた第１領域を保持する第１の保持部材と、を有し、
前記移動筒は、
前記Ｕターン部が光軸方向に移動する範囲で、
前記Ｕターン部を光軸方向から見たとき、
前記フレキシブルプリント配線板を挟んで両側に前記第１の保持部材に対向して前記第１の保持部材の変位を規制する規制部を有することを特徴とするレンズ鏡筒。
【請求項２】
前記第１の保持部材は、前記光軸方向に交差する方向に前記固定筒と結合する結合部を備え、前記第１の保持部材は、前記固定筒に結合される位置を支点として変位可能であることを特徴とする請求項１に記載のレンズ鏡筒。
【請求項３】
前記移動筒に取付けられ、前記フレキシブルプリント配線板の前記Ｕターン部と異なる前記光軸方向に伸びた第２領域を保持し前記第１の保持部材と共に前記Ｕターン部を形成する第２の保持部材を有することを特徴とする請求項１または２に記載のレンズ鏡筒。
【請求項４】
前記第１の保持部材は前記フレキシブルプリント配線板の所定部を挟み込む曲げ部を備えることを特徴とする請求項１乃至３のいずれか１項に記載のレンズ鏡筒。
【請求項５】
前記移動筒の外周側に、カム溝を備えた第１のカム環を有し、
前記Ｕターン部を光軸方向から見たとき、前記第１の保持部材の外周側に、前記カム溝への嵌り込みを抑制する曲率部を備えたことを特徴とする請求項１乃至４のいずれか１項に記載のレンズ鏡筒。
【請求項６】
前記保持部材の内周側に、第２のカム環を有し、
前記Ｕターン部を光軸方向から見たとき、前記規制部における前記第１の保持部材に対向する位置は前記第２のカム環の外周側にあることを特徴とする請求項１乃至５のいずれか１項に記載のレンズ鏡筒。
【請求項７】
前記第１のカム環はズームカム環であることを特徴とする請求項５に記載のレンズ鏡筒。
【請求項８】
前記第２のカム環はフォーカスカム環であることを特徴とする請求項６に記載のレンズ鏡筒。
【請求項９】
前記規制部は、前記第１の保持部材に内周側で対向する面を備え、前記第１の保持部材に外周側で対向する面を備えないことを特徴とする請求項１乃至８のいずれか１項に記載のレンズ鏡筒。
【請求項１０】
前記規制部は、前記第１の保持部材に内周側で対向する第１の面を備え、更に前記第１の保持部材に外周側で対向する第２の面を備えることを特徴とする請求項１乃至８のいずれか１項に記載のレンズ鏡筒。
【請求項１１】
前記Ｕターン部を光軸方向から見たとき、前記第１、第２の面は内側の溝部に設けられることを特徴とする請求項１０に記載のレンズ鏡筒。
【請求項１２】
前記Ｕターン部を光軸方向から見たとき、前記第１、第２の面は外側の溝部に設けられることを特徴とする請求項１０に記載のレンズ鏡筒。
【請求項１３】
前記電装部は絞りユニットであることを特徴とする請求項１乃至１２のいずれか１項に記載のレンズ鏡筒。
【請求項１４】
前記制御部は前記固定筒に結合される制御基板であることを特徴とする請求項１乃至１３のいずれか１項に記載のレンズ鏡筒。
【請求項１５】
前記第１領域は、前記第１の保持部材に両面テープで貼り付けられていることを特徴とする請求項１乃至１４のいずれか１項に記載のレンズ鏡筒。
【請求項１６】
請求項１乃至１５のいずれか１項に記載のレンズ鏡筒を有することを特徴とする光学装置。
【発明の詳細な説明】
【技術分野】
【０００１】
本発明は、レンズ鏡筒およびこれを用いた光学装置に関し、特に光軸方向に可動する絞りユニット等と電気的に接続するフレキシブルプリント配線板（ＦＰＣ）を備えたものに関する。
【背景技術】
【０００２】
フォーカスやズーミングのために光軸方向に移動する移動筒に一体的に取り付けられた絞りユニット等と、固定筒に配置されている制御部とを電気的に接続する手段として、フレキシブルプリント配線板（ＦＰＣ）を用いることが知られている。
【０００３】
特許文献１では、移動筒の移動に応じて曲げ頂点部が光軸方向に移動するＵターン部を設けたフレキシブルプリント配線板を備え、Ｕターン移動を補助する補助部材が一部品のみで構成されるレンズ鏡筒が開示されている。
【先行技術文献】
【特許文献】
【０００４】
【特許文献１】特開２００３−３０７６６７号公報
【発明の概要】
【発明が解決しようとする課題】
【０００５】
しかしながら、上述の従来技術では、フレキシブルプリント配線板の曲げ頂点部分をガイドする補助部材の内側外側部を、一体的に構成する構造のため、そのスペースの確保が出来ず、他の部品と干渉してしまうという問題が有る。
【０００６】
その場合、この干渉問題を回避するために別体化すると、取り付け部の根元部の直角曲げ精度により、外側に曲がると外側に配置された部材と干渉する。また、内側に曲がると、曲げ頂点部の曲率半径が小さくなり、屈曲耐久でフレキシブルプリント配線板の断線が懸念され、実現出来ないという問題が生ずる。
【０００７】
本発明の目的は、フレキシブルプリント配線板に関する干渉問題を回避すると共に、曲げ頂点部の曲率半径を所定の大きさに確保できるレンズ鏡筒およびこれを用いた光学装置を提供することにある。
【課題を解決するための手段】
【０００８】
上記目的を達成するために、本発明に係るレンズ鏡筒は、固定筒と、該固定筒に対し光軸方向に移動する移動筒と、該移動筒に取付けられた電装部と、該電装部に一端が電気接続され、制御部に他端が電気接続され、前記光軸方向に移動するＵターン部を備えるフレキシブルプリント配線板と、前記フレキシブルプリント配線板の前記Ｕターン部と異なる前記光軸方向に伸びた第１領域を保持する第１の保持部材と、を有し、前記移動筒は、前記Ｕターン部が光軸方向に移動する範囲で、前記Ｕターン部を光軸方向から見たとき、前記フレキシブルプリント配線板を挟んで両側に前記第１の保持部材に対向して前記第１の保持部材の変位を規制する規制部を有することを特徴とする。
【０００９】
また、本発明に係る光学装置は、上記レンズ鏡筒を有することを特徴とする。
【発明の効果】
【００１０】
本発明によれば、フレキシブルプリント配線板に関する干渉問題を回避すると共に、曲げ頂点部の曲率半径を所定の大きさに確保できる。
【図面の簡単な説明】
【００１１】
【図１】本発明の第１の実施形態に係るレンズ鏡筒としてのズームレンズ鏡筒でワイド状態を示す断面図である。
【図２】第１の実施形態に係るフレキシブルプリント配線板（ＦＰＣ）を通る位置で切断したワイド状態の断面図である。
【図３】第１の実施形態に係るフレキシブルプリント配線板を通る位置で切断したテレ状態の断面図である。
【図４】（ａ）は第１の実施形態に係るフレキシブルプリント配線板に係わる部品のワイド状態の要部断面図、（ｂ）はフレキシブルプリント配線板に係わる部品のテレ状態の要部断面図である。
【図５】第１の実施形態に係るフレキシブルプリント配線板に係わる部品の後方視斜視図である。
【図６】（ａ）は第１の実施形態に係るＦＰＣ保持板の斜視図であり内側から見た図、（ｂ）はＦＰＣ保持板の斜視図であり外側から見た図である。
【図７】図４（ｂ）のＸ−Ｘ位置で切断したときの断面図である。
【図８】（ａ）は第１の実施形態に係るＦＰＣ保持板と移動筒の位置関係を説明する斜視図でワイド状態を示す図、（ｂ）はＦＰＣ保持板と移動筒の位置を説明する斜視図でテレ状態を示す図である。
【図９】第２の実施形態に係るＦＰＣ保持板と移動筒の位置関係を説明する斜視図である。
【図１０】第２の実施形態に係るＦＰＣ保持板と移動筒の光軸方向から見た断面図である。
【図１１】第３の実施形態に係るＦＰＣ保持板と移動筒の位置関係を説明する斜視図である。
【図１２】第３の実施形態に係るＦＰＣ保持板と移動筒の光軸方向から見た断面図である。
【発明を実施するための形態】
【００１２】
以下に、本発明の好ましい実施形態を添付の図面に基づいて詳細に説明する。
【００１３】
《第１の実施形態》
（光学装置）
本実施形態に係るレンズ鏡筒を搭載した光学装置は、撮像素子等を備え静止画撮影、動画撮影を行うカメラ、ビデオカメラ等の撮像装置である。
【００１４】
（レンズ鏡筒）
以下、本発明の実施形態に係るレンズ鏡筒について、図１乃至図８を参照して説明する。本実施形態においては、図１に示すように、レンズ系として静止画および動画撮影を行うズームレンズを備え、具体的なレンズ群として物体側より順に第１群Ｌ１、第２群Ｌ２、第３群Ｌ３を備える。そして、フォーカスに際しては第１群Ｌ１のみが光軸方向に移動し、ズームに際しては第１群Ｌ１、第２群Ｌ２が異なる移動量で光軸方向に移動する。図１はワイド状態を示し、図２はテレ状態を示している。
【００１５】
図１において、第１群Ｌ１および第２群Ｌ２の中心を通る軸を光軸と称する。また、同図において右側（後方）が像面側、左側（前方）が物体側である。図１で、１は固定筒を示しており、後端部１ａはカメラ本体と結合する不図示のマウント部材や、外装部材を固定するために使用される。２はズーミングを行うためのズームカム環を示し、外周が固定筒１に嵌合し、定位置回転可能に保持されている。
【００１６】
４は光軸方向に移動する移動筒を示し、外周に３つのコロ４aをビスで固定している。コロ４ａは固定筒１の直進溝１ｂおよびズームカム環２のカム溝２ａに係合しており、ズームカム環２を回転させることにより、移動筒４を光軸方向に直進移動させることが可能である。
【００１７】
移動筒４の後側には、第２群Ｌ２を保持した２群鏡筒９が取り付けられている。２群鏡筒９は移動筒４に対して偏心および倒れ調整が可能となるように不図示の偏心コロで保持されおり、移動筒４と一体的に移動するものである。偏心コロによる偏心および倒れ調整構造に関しては、公知の技術であり説明は省略する。
【００１８】
移動筒４の外周には、フォーカスカム環６が嵌合している。フォーカスカム環６は、移動筒４の先端に押え板１３を不図示のビスで固定することによって、移動筒４に対して定位置回転可能に保持されている。８は第１群Ｌ１を保持した１群鏡筒を示し、外周には３つのコロ８ａがビスによって固定されている。コロ８ａは移動筒４に設けた直進溝４ｃとフォーカスカム環６に設けたカム溝６ａに係合しており、フォーカスカム環６を回転させることにより、１群鏡筒８が光軸方向に直進移動する構成になっている。
【００１９】
１０は回転リングを示し、固定筒１の内周で定位置回転可能に保持されている。回転リング１０は不図示のフォーカスモータまたは不図示の手動フォーカス調整リングによって回転する。回転リング１０の内周には、光軸方向に伸びた直進溝１４ａを設けたフォーカスキー１４がビスによって固定されている。直進溝１４ａはフォーカスカム環６の外周に設けたコロ（不図示）に係合している。
【００２０】
直進溝１４ａの長さは移動筒４がズームで移動する距離より長く設定しており、移動筒４の移動ではフォーカスカム環６を回転駆動させずに、回転リング１０の回転を独立して伝達する構成になっている（図２参照）。
【００２１】
５は絞りユニットを示し、電磁モータによって絞り羽根を駆動し光量を調節するものである。絞りユニット５は押え板１３によって移動筒４の内周に挟持され、移動筒４と一体的に移動する。押え板１３は、フォーカスカム環６と絞りユニット５共通の保持部材になっている。
【００２２】
以上の構成によって、ズームカム環２を回転させると、移動筒４に保持された１群鏡筒８、２群鏡筒９、絞りユニット５が一体的に移動しズーミングが行われる。また、回転リング１０を外部から回転させると、フォーカスキー１４、フォーカスカム環６を介して１群鏡筒８のみが光軸方向に移動しフォーカス調整が行われる。
【００２３】
（フレキシブルプリント配線板の保持構造）
次に、本実施形態に係わるフレキシブルプリント配線板（以下、ＦＰＣ）の保持構造について説明する。図２、図３は、図１のレンズ鏡筒の断面図を示し、それぞれＦＰＣ１１を通る位置で切断した断面図である。図２はワイド状態、図３はテレ状態を示す。また、図４（ａ）、（ｂ）はＦＰＣ１１に係わる部品のみを示した要部断面図で、それぞれワイド状態、テレ状態を示している。図５は後方から見た斜視図で、図の上側が像面側である。
【００２４】
図４において、光軸方向に移動するＵ字状に折り曲げられた部分であるＵターン部１１ｄを備えたＦＰＣ１１は、移動筒４に取付けられた電装部としての絞りユニット５に、一端が電気的に接続（電気接続）されている。具体的には、ＦＰＣ１１は、一端である先端部１１ａが絞りユニット５のモータ端子５ａ（図４）と、絞り羽根の開放状態を検出するセンサであるフォトインタラプタ（不図示）の端子に半田付けされ固定されている。そして、他端が制御部としての制御基板７（図２、図３）に電気的に接続（電気接続）されている。ここで、制御基板７は、固定筒１の後端部１ａに不図示の部品を介して固定されている。
【００２５】
そして、本実施形態では、ＦＰＣ１１に関し、Ｕターン部１１ｄと異なる光軸方向に伸びた第１領域である直線部１１ｂを外周側で保持する第１の保持部材としてのＦＰＣ保持板３を備える。また、Ｕターン部と異なる光軸方向に伸びた第２領域を内周側で保持する第２の保持部材としての可動押え板１２を備える（この可動押え板１２は、ビス１２ａによって移動筒４のフランジ部に固定されている（図５））。本実施形態では、ＦＰＣ保持板３と可動押え板１２により、ＦＰＣ１１のＵターン部１１ｄは曲率を保ったまま光軸方向に移動されることとなる。
【００２６】
即ち、ＦＰＣ１１は可動ＦＰＣ押え板１２と固定側のＦＰＣ保持板３によって内外径（内外周）側をガイドされるため、Ｕターン部１１ｄができる。そして、ズーミングによって移動筒４が繰出されると、Ｕターン部１１ｄが移動筒４の移動量の半分だけ移動して行くことによって、ＦＰＣ１１を限られたスペース内に保持しつつ安定した電気接続が可能になっている。
【００２７】
ここで、本実施形態において、ＦＰＣ保持板３は、光軸方向に交差する方向（９０度曲げられた方向）に固定筒１と結合する結合部としての固定部３ｃを備え、ＦＰＣ保持板３は固定筒１の後端部１ａにビス（不図示）で結合される。これにより、ＦＰＣ保持板３は、結合される位置（後端部１ａ）を支点として変位可能である。また、ＦＰＣ保持板３は曲げ部３ａを備え、ＦＰＣ１１の１８０°屈曲された所定部が曲げ部３ａに挟み込まれる。
【００２８】
なお、本実施形態では、ＦＰＣ１１の直線部１１ｂは、ＦＰＣ保持板３の平面部３ｂに両面テープによって固定されている。そして、ＦＰＣ１１は制御基板７の外側を回って端子部１１ｃが制御基板７のコネクタ７ａに接続されている（図２、図３参照）。
【００２９】
（ＦＰＣ保持板のガイド構造）
次に、本実施形態に係わるＦＰＣ保持板３のガイド構造について説明する。図６（ａ）、（ｂ）はＦＰＣ保持板３の斜視図であり夫々内周側、外周側から見た図である。図７は図４（ｂ）に示すＸ−Ｘ位置で切断したときの断面図である。また、図８（ａ）、（ｂ）はＦＰＣ保持板３と移動筒４の位置を説明する斜視図である。
【００３０】
本実施形態では、Ｕターン部１１ｄを光軸方向から見たとき、移動筒４にはＵターン部１１ｄが収納されるスペースの両側に、ＦＰＣ保持板３に対向してＦＰＣ保持板３の接触を規制する規制部としてのガイド壁部４ｄが設けられる。
【００３１】
そして、ＦＰＣ保持板３には、Ｕターン部１１ｄが光軸方向に移動する範囲で、Ｕターン部１１ｄを光軸方向から見たとき、ＦＰＣ保持板３の両側にガイド部３ｄが備わっている。具体的には、図６（ａ）、図７、図８に示すように、ガイド部３ｄはＦＰＣ１１が固定される平面部３ｂ（図６（ａ））の両側に曲げによって形成されている。
【００３２】
これにより、ＦＰＣ保持板３のガイド部３ｄは、ガイド壁部４ｄの当接面４ａと僅かな隙間で対向するよう配置されている（図７参照）。そのため、外部から衝撃が加えられた際や部品の製造誤差でＦＰＣ保持板３が内側（内周側）に変位しても、ガイド部３ｄと当接面４ａが先に当接し、ＦＰＣ保持板３やＦＰＣ１１がフォーカスカム環６と干渉することを防止している。
【００３３】
図８（ａ）はワイド状態を示し、移動筒４が最も像面側（後方）に位置した状態である。図８（ｂ）はテレ状態を示し、移動筒４が最も物体側（前方）に位置した状態である。いずれの状態でも、ＦＰＣ保持板３のガイド部３ｄと移動筒４に設けた当接面４ａは、少なくともその一部が対向するように長さが設定されている。従って、移動筒４の移動範囲のいかなる場合でも、ＦＰＣ保持板３がフォーカスカム環６に干渉することが無い。それによって、引掛によるフォーカス作動不良や装置の破損を発生させることが無い。
【００３４】
更に、本実施形態では、Ｕターン部１１ｄの曲率半径を所定のＲ以下にならないようにすることができる。即ち、Ｕターン部の曲率半径が小さくなると、繰り返し作動させることによって導電パターンが劣化し断線を引き起こすことがあるが、本実施形態の構成を採ることによって、繰り返し作動による耐久性を向上させることができる。
【００３５】
また、本実施形態では、ＦＰＣ保持板３の平面部３ｂからガイド部３ｄに接続する曲率部（角Ｒ部）３ｆは、緩やかな曲率を備えた曲線状になっている。これにより、図７に示すようにＦＰＣ保持板３の外径側に回転するズームカム環２のカム溝２ａ等の凹凸に引っ掛からない（引っ掛かりを抑制する）ようにしている。即ち、衝撃等の外力によってＦＰＣ保持板３が外径（外周）側に変位しても、角Ｒ部３ｆがズームカム環２の内周に先に当接し、引掛り易いガイド部３ｄの端面であるエッジ部３ｅは当接しないようにしている。
【００３６】
（本実施形態の効果）
本実施形態では、振動衝撃等の外力が働いた場合や部品の製造誤差でＦＰＣ保持板３の位置ズレが生じたとしても、内側（内周側）は移動筒４の当接面４ａにＦＰＣ保持板３のガイド部３ｄが先に当接する。これにより、フォーカスカム環６へのＦＰＣ保持板３の接触を規制することができる。また、外側（外周側）は角Ｒ部３ｆがズームカム環２の内周に先に当接（接触）する。これにより、ズームカム環６へのＦＰＣ保持板３の不都合となる接触を規制することができる。本実施形態では、これらによって作動の不調を防ぎ、装置を保護することができる。
【００３７】
このように本実施形態では、外側でズームカム環が回転し、かつ、内側で可動群に設けられたフォーカスカム環が回転する狭いスペースに、可動群から固定群に電気的接続を行うフレキシブルプリント配線板を安定して配置することが可能になる。つまり、外力等によってＦＰＣ保持板３が内側に変位することがあっても、ＦＰＣ保持板３が移動レンズ群に設けたレール部に当接し、Ｕターン部の曲率半径は所定の大きさを確保でき、フレキシブルプリント配線板が断線することが無い。
【００３８】
更に、ＦＰＣ保持板３が外側に変位して、ズームカム環の内壁に接触しても、スムーズに回転が可能と成り、引掛りや異音発生といった問題の発生に繋がらないようにすることができる。
【００３９】
《第２の実施形態》
以下、図９、図１０を参照して、本発明の第２の実施形態に係るレンズ鏡筒について説明する。図９は、ＦＰＣ保持板３０１と移動筒４０１の関連を示す要部斜視図でワイド状態を示している。図１０は、図９の断面図で像面側から見た図である。第１の実施形態と共通の部品には同じ番号を記しており、同じ機能を有するものである。
【００４０】
Ｕターン部を光軸方向から見たとき、ＦＰＣ保持板３０１の両側は内側に約９０°曲げられ、さらに反対側に約９０°曲げた端部３０１ａを有している。一方、移動筒４０１は内側に溝部４０１ａを有しており、溝部４０１ａにＦＰＣ保持板３０１の端部３０１ａが入り込むように配置されている。
【００４１】
即ち、第１の実施形態では、規制部としてのガイド壁部４ｄは、ＦＰＣ保持板に内周側で対向する面を備え、ＦＰＣ保持板に外周側で対向する面を備えないものであった。これに対し、本実施形態では、規制部としての内側の溝部４０１ａは、ＦＰＣ保持板３０１に内周側で対向する第１の面を備え、更にＦＰＣ保持板３０１に外周側で対向する第２の面を備える。
【００４２】
本実施形態では、部品寸法誤差や振動衝撃等の外力が働いて、ＦＰＣ保持板３０１が内側に変位しても、端部３０１ａの内周面３０１ｂが、溝部４０１aの内周面４０１ｂに先に当接し、ＦＰＣ保持板３０１がフォーカスカム環６に干渉することが無い。また、ＦＰＣ保持板３０１が外側に変位しても、端部３０１ａの外周面３０１ｃが、溝部４０１aの外周面４０１ｃに先に当接し、ＦＰＣ保持板３０１がズームカム環２の内周に干渉することが無い。
【００４３】
本実施形態では、移動筒４０１が光軸方向に移動する範囲で、必ず端部３０１ａの一部が溝部４０１ａに入り込んだ状態を維持するよう長さが設定されている。そのため、ズーム位置に依らずいかなる状態でも引掛り等の作動不良を起こすことが無い。
【００４４】
《第３の実施形態》
以下、図１１、図１２を参照して、本発明の第３の実施形態に係るレンズ鏡筒について説明する。図１１は、ＦＰＣ保持板３０２と移動筒４０２の関連を示す要部斜視図でワイド状態を示している。また、図１２は図１１の断面図で像面側から見た図である。第１の実施形態と共通の部品には同じ番号を記しており、同じ機能を有するものである。
【００４５】
本実施形態では、Ｕターン部を光軸方向から見たとき、ＦＰＣ保持板３０２の両側は内側に約９０°曲げられ、さらにコの字状に曲げた端部３０２ａを有している。一方、移動筒４０２は外側に溝部４０２ａを有しており、溝部４０２ａにＦＰＣ保持板３０２の端部３０２ａが入り込むように配置されている。
【００４６】
即ち、第１の実施形態では、規制部としてのガイド壁部４ｄは、ＦＰＣ保持板に内周側で対向する面を備え、ＦＰＣ保持板に外周側で対向する面を備えないものであった。これに対し、本実施形態では、規制部としての外側の溝部４０２ａは、ＦＰＣ保持板３０２に内周側で対向する第１の面を備え、更にＦＰＣ保持板３０２に外周側で対向する第２の面を備える。
【００４７】
本実施形態では、部品寸法誤差や振動衝撃等の外力が働いて、ＦＰＣ保持板３０２が内側に変位しても、端部３０２ａの内周面３０２ｂが、溝部４０２aの内周面４０２ｂに先に当接し、ＦＰＣ保持板３０１がフォーカスカム環６に干渉することが無い。また、ＦＰＣ保持板３０２が外側に変位しても、端部３０２ａの外周面３０２ｃが、溝部４０１aの外周面４０２ｃに先に当接し、ＦＰＣ保持板３０２がズームカム環２に干渉することが無い。
【００４８】
本実施形態では、移動筒４０２が光軸方向に移動する範囲で、必ず端部３０２ａの一部が溝部４０２ａに入り込んだ状態を維持するよう長さが設定されている。そのため、ズーム位置に依らずいかなる状態でも引掛り等の作動不良を起こすことが無い。
【００４９】
（変形例）
以上、本発明の好ましい実施形態について説明したが、本発明はこれらの実施形態に限定されず、その要旨の範囲内で種々の変形及び変更が可能である。
【００５０】
（変形例１）
上述した実施形態では、移動筒に取付けられる電装部として絞りユニットを説明したが、本発明はこれに限られず、シャッタやフォーカスモータ等であっても良い。
【００５１】
（変形例２）
上述した実施形態では、静止画撮影、動画撮影を行うカメラ、ビデオカメラにおけるレンズ鏡筒として説明したが、本発明はこれに限られない。ライトバルブに表示される画像をスクリーンに投射するプロジェクタ、原稿画像を読取る複写機等の画像読取装置におけるレンズ鏡筒としても適用できる。
【符号の説明】
【００５２】
１・・固定筒、３・・ ＦＰＣ保持板、４・・移動筒、４ｄ・・ガイド壁部、５・・絞りユニット、１１・・ＦＰＣ（フレキシブルプリント配線板）、１１ｂ・・直線部、１１ｄ・・Ｕターン部
【図１】
2016130761.tif 000003
【図２】
2016130761.tif 000004
【図３】
2016130761.tif 000005
【図４】
2016130761.tif 000006
【図５】
2016130761.tif 000007
【図６】
2016130761.tif 000008
【図７】
2016130761.tif 000009
【図８】
2016130761.tif 000010
【図９】
2016130761.tif 000011
【図１０】
2016130761.tif 000012
【図１１】
2016130761.tif 000013
【図１２】
2016130761.tif 000014